(57)【要約】【課題】  短押しタイプと長押しタイプの起動制御装置が有する各デメリットを共に解消する。【解決手段】  電源ＯＦＦの状態を維持し（Ｓ１０１）、この状態において電源スイッチが押し操作されならば、タイマーをスタートさせて、ユーザの電源スイッチに対するスイッチ押し時間を計測する（Ｓ１０３）。この計測しているスイッチ押し時間が、Ｓ１１０でＲＡＭに記憶される直前のＯＦＦでの押し時間と一致したか否かを判断する（Ｓ１０４）。電源スイッチのスイッチ押し時間が直前のＯＦＦでの押し時間と一致すると（Ｓ１０４；ＹＥＳ）、電源ＯＮにする（Ｓ１０６）。また、電源ＯＮの状態において電源スイッチ３が押し操作されたならば、タイマーをスタートさせて（Ｓ１０８）、ユーザが電源スイッチの押し操作をやめると、タイマーにより計測した押し時間をＲＡＭに記憶する（Ｓ１１０）。【選択図】      図３
2006163857.tif 000002
【特許請求の範囲】
【請求項１】
操作子を有し、この操作子が所定の継続時間をもって操作されたことを条件として、当該機器の所定機能をオンにする起動制御装置であって、
前記継続時間を任意に設定する設定手段を設けたことを特徴とする起動制御装置。
【請求項２】
当該機器が有する所定機能のオン及びオフ時に操作される操作子と、
この操作子が前記オフ時に操作された際の操作継続時間を取得する取得手段と、
この取得手段により取得された操作継続時間に基づき、オン時における必要操作継続時間を決定する決定手段と、
前記操作子が前記オン時に操作された際、前記決定手段により決定された前記必要操作継続時間をもって操作されたことを条件として、当該機器の前記所定機能をオンにする制御手段と
を備えたことを特徴とする起動制御装置。
【請求項３】
前記決定手段は、前記取得手段により取得された操作継続時間を前記必要操作継続時間として決定することを特徴とする請求項２記載の起動制御装置。
【請求項４】
前記決定手段は、前記取得手段により取得された操作継続時間とは異なる時間を前記必要操作継続時間として決定することを特徴とする請求項２記載の起動制御装置。
【請求項５】
前記操作子を複数有し、
前記取得手段は、各操作子が前記オフ時に操作された際の操作継続時間を各々取得し、
前記決定手段は、この取得手段により取得された各操作継続時間に基づき、各操作子のオン時における必要操作継続時間を決定することを特徴とする請求項２記載の起動制御装置。
【請求項６】
前記当該機器が有する機能とは電源であり、前記操作子は電源ボタンであることを特徴とする請求項１から５にいずれか記載の起動制御装置。
【請求項７】
当該機器が有する第１及び第２の機能のオン時に各々操作される第１及び第２の操作子と、
これら第１及び第２の操作子が各々異なる所定の継続時間をもって操作されたことを条件として、対応する前記第１及び第２の機能をオンにする制御手段と
を備えることを特徴とする起動制御装置。
【請求項８】
前記機器はデジタルカメラであり、
前記第１の操作子は、画像を撮像する記録モードをオンにする際に操作される記録モードキーであり、
前記第２の操作子は、記録された画像を再生する再生モードをオンにする際に操作される再生モードキーであり、
前記制御手段は、前記記録モードキーが前記再生モードキーよりも短い時間をもって操作されたことを条件に前記記録モードをオンにし、前記再生モードキーが前記記録モードキーよりも長い時間をもって操作されたことを条件に前記再生モードをオンにすることを特徴とする請求項７記載の起動制御装置。
【請求項９】
操作子を有し、この操作子が所定の継続時間をもって操作されたことを条件として、当該機器の所定機能をオンにする電子機器が有するコンピュータを、
前記継続時間を任意に設定する設定手段として機能させることを特徴とする起動制御プログラム。
【請求項１０】
当該機器が有する所定機能のオン及びオフ時に操作される操作子を備える電子機器が有するコンピュータを、
前記操作子が前記オフ時に操作された際の操作継続時間を取得する取得手段と、
この取得手段により取得された操作継続時間に基づき、オン時における必要操作継続時間を決定する決定手段と、
前記操作子が前記オン時に操作された際、前記決定手段により決定された前記必要操作継続時間をもって操作されたことを条件として、当該機器の前記所定機能をオンにする制御手段と
して機能させることを特徴とする起動制御プログラム。
【請求項１１】
操作子を有し、この操作子が所定の継続時間をもって操作されたことを条件として、当該機器の所定機能をオンにする電子機器の起動方法であって、
前記継続時間を任意に設定することを特徴とする電子機器の起動方法。
【請求項１２】
当該機器が有する所定機能のオン及びオフ時に操作される操作子を備える電子機器の起動方法であって、
前記操作子が前記オフ時に操作された際の操作継続時間を取得する取得ステップと、
この取得手段ステップで取得された操作継続時間に基づき、オン時における必要操作継続時間を決定する決定ステップと、
前記操作子が前記オン時に操作された際、前記決定ステップにより決定された前記必要操作継続時間をもって操作されたことを条件として、当該機器の前記所定機能をオンにする起動ステップと
を含むことを特徴とする電子機器の起動方法。
【発明の詳細な説明】
【技術分野】
【０００１】
本発明は、各種電子機器の電源や他の機能を起動させる起動制御装置、起動制御プログラム及び電子機器の起動方法に関する。
【背景技術】
【０００２】
従来、各種電子機器には、例えば電源をオンにする際に操作される電源ボタンを有する起動回路等の、当該機器が有する機能をオンする際に動作する起動制御装置が設けられている（例えば、特許文献１参照。）。この起動制御装置には、所謂短押しタイプと長押しタイプとが存在し、短押しタイプの起動制御装置にあっては、操作ボタンが瞬間的に操作されるのみで、電源等の対応する機能をオンにし、長押しタイプの起動制御装置にあっては、操作ボタンが所定の継続時間例えば１秒間、操作されたことを条件に、電源等の対応する機能をオンにする。
【特許文献１】特開２００４−７８０８０号公報
【発明の開示】
【発明が解決しようとする課題】
【０００３】
前記短押しタイプの起動制御装置にあっては、短い操作時間で瞬時に対応する機能をオンにすることができるメリットを有する。しかしその反面、この起動制御装置を有する機器が携帯機器である場合、これをポケットや鞄等に収納して携帯した際、携帯時の外力が操作ボタンに作用すると、不意に対応する機能がオンとなってしまい、無用な起動が生じてしまうデメリットを有する。また、この起動制御装置を有する機器が据え置き型の機器である場合であっても、不用意に操作ボタンに触れた際に対応する機能がオンとなってしまい、無用な起動が生じてしまう。
【０００４】
これに対し、長押しタイプの起動制御装置にあっては、操作ボタンが所定の継続時間で操作されたことを条件に対応する機能をオンにすることから、前述した携帯時の外力により不意に対応する機能がオンとなったり、不用意に操作ボタンに触れた際に対応する機能がオンとなってしまうデメリットが生ずることはない。しかしその反面、ユーザがボタン操作を開始してから、所定の継続時間後に対応する機能がオンとなることから、操作から起動するまでにタイムラグが存在する。このため、このタイムラグの存在により、ユーザにおいて当該機能を有効に利用できない場合が生ずる。例えば、デジタルカメラに長押しタイプの電源起動制御装置が設けられている場合、ユーザがシャッタチャンスと思うシーンに遭遇して、電源ボタンを操作しても、電源がオンとなるまでに前記タイムラグが介在することから、その間におけるシーンの変化により、シャッタチャンスを喪失してしまう不都合が生ずる。
【０００５】
本発明は、短押しタイプと長押しタイプの起動制御装置が有する各デメリットを共に解消することのできる起動制御装置、起動制御プログラム及び電子機器の起動方法を提供することを目的とする。
【課題を解決するための手段】
【０００６】
前記課題を解決するため請求項１記載の発明に係る起動制御装置にあっては、操作子を有し、この操作子が所定の継続時間をもって操作されたことを条件として、当該機器の所定機能をオンにする起動制御装置であって、前記継続時間を任意に設定する設定手段を設けてある。
【０００７】
したがって、当該機器が携帯機器であってポケットや鞄等に収納して携帯している場合、あるいは当該機器が据え置き型の機器である場合であるが不用意に操作子に触れる可能性がある場合には、長い継続時間を設定することにより、無用な起動が生じてしまうデメリット（短押しタイプのデメリット）を解消することができる。また、操作子を操作してから対応する機能がオンとなるまでのタイムラグにより、ユーザにおいて当該機能を有効に利用できない場合には、短い継続時間を設定することにより、前記タイムラグに起因する不都合（長押しタイプのデメリット）を解消することができる。
【０００８】
また、請求項２記載の発明に係る起動制御装置にあっては、当該機器が有する所定機能のオン及びオフ時に操作される操作子と、この操作子が前記オフ時に操作された際の操作継続時間を取得する取得手段と、この取得手段により取得された操作継続時間に基づき、オン時における必要操作継続時間を決定する決定手段と、前記操作子が前記オン時に操作された際、前記決定手段により決定された前記必要操作継続時間をもって操作されたことを条件として、当該機器の前記所定機能をオンにする制御手段とを備えている。
【０００９】
したがって、当該機器が有する所定機能をオフした際の操作継続時間に応じて、オン時に操作子を操作してから所定機能がオンとなるまでに要する時間を変化させることができる。よって、ユーザにおいて当該機器が有する所定機能をオフした際の操作継続時間を変化させることにより、当該機器が有する起動制御装置を随時短押しタイプと長押しタイプのいずれにもすることができる。よって、各種機器が有する起動制御装置を当該機器の種類や機器がおかれている環境に応じて短押しタイプと長押しタイプとすることにより、両タイプのデメリットを随時解消することができるとともに、適切なタイムラグを設定することができる。
【００１０】
また、請求項３記載の発明に係る起動制御装置にあっては、前記決定手段は、前記取得手段により取得された操作継続時間を前記必要操作継続時間として決定する。したがって、当該機器が有する所定機能をオフした際の操作継続時間を変化させる容易な操作により、各種機器が有する起動制御装置を短押しタイプと長押しタイプのいずれにもすることができるのみならず、適切なタイムラグを設定することができる。
【００１１】
また、請求項４記載の発明に係る起動制御装置にあっては、前記決定手段は、前記取得手段により取得された操作継続時間とは異なる時間を前記必要操作継続時間として決定する。したがって、当該機器が有する所定機能をオフした際の操作継続時間により、適切なタイムラグを設定することができる。
【００１２】
また、請求項５記載の発明に係る起動制御装置にあっては、前記操作子を複数有し、前記取得手段は、各操作子が前記オフ時に操作された際の操作継続時間を各々取得し、前記決定手段は、この取得手段により取得された各操作継続時間に基づき、各操作子のオン時における必要操作継続時間を決定する。したがって、当該機器が有する複数の機能毎に各種機器が有する起動制御装置を短押しタイプと長押しタイプのいずれにもすることができるのみならず、適切なタイムラグを設定することができる。
【００１３】
また、請求項６記載の発明に係る起動制御装置にあっては、前記当該機器が有する機能とは電源であり、前記操作子は電源ボタンである。したがって、電源オフ時に電源ボタンを操作した際の操作継続時間に応じて、電源オン時に電源ボタンを操作してから電源がオンとなるまでに要する時間を変化させることができる。よって、ユーザにおいて電源をオフした際の操作継続時間を変化させることにより、当該機器の電源オンに短押しタイプと長押しタイプのいずれにもすることができるとともに、電源オン時に適切なタイムラグを設定することもできる。
【００１４】
また、請求項７記載の発明に係る起動制御装置にあっては、当該機器が有する第１及び第２の機能のオン時に各々操作される第１及び第２の操作子と、これら第１及び第２の操作子が各々異なる所定の継続時間をもって操作されたことを条件として、対応する前記第１及び第２の機能をオンにする制御手段とを備える。したがって、第１の操作子が操作された際に対応する機能がオンとなるまでのタイムラグと、第２の操作子が操作された際に対応する機能がオンとなるまでのタイムラグとを異なるものとすることができる。よって、例えば第１の操作子に対応する機能はタイムラグが微少又は不要であり、第２の操作子に対応する機能はタイムラグが必要である場合、各機能に応じてタイムラグの設定あるいは適切なタイムラグを設定が可能となる。
【００１５】
また、請求項８記載の発明に係る起動制御装置にあっては、前記機器はデジタルカメラであり、前記第１の操作子は、画像を撮像する記録モードをオンにする際に操作される記録モードキーであり、前記第２の操作子は、記録された画像を再生する再生モードをオンにする際に操作される再生モードキーであり、前記制御手段は、前記記録モードキーが前記再生モードキーよりも短い時間をもって操作されたことを条件に前記記録モードをオンにし、前記再生モードキーが前記記録モードキーよりも長い時間をもって操作されたことを条件に前記再生モードをオンにする。したがって、記録モードキーを操作した際には、より迅速に記録モードが起動することにより、シャッタチャンスの喪失を未然に防止することができる。また、したがって、再生モードキーを操作した際には、タイムラグをもって再生モードが起動することにより、不用意な再生開始により再生画像を他人に見られてしまう不都合を未然に防止することができる。
【００１６】
また、請求項９記載の発明に係る起動制御プログラムにあっては、操作子を有し、この操作子が所定の継続時間をもって操作されたことを条件として、当該機器の所定機能をオンにする電子機器が有するコンピュータを、前記継続時間を任意に設定する設定手段として機能させる。したがって、前記コンピュータがこのプログラムに従って処理を実行することにより、請求項１記載の発明と同様の作用効果を奏する。
【００１７】
また、請求項１０記載の発明に係る起動制御プログラムにあっては、当該機器が有する所定機能のオン及びオフ時に操作される操作子を備える電子機器が有するコンピュータを、前記操作子が前記オフ時に操作された際の操作継続時間を取得する取得手段と、この取得手段により取得された操作継続時間に基づき、オン時における必要操作継続時間を決定する決定手段と、前記操作子が前記オン時に操作された際、前記決定手段により決定された前記必要操作継続時間をもって操作されたことを条件として、当該機器の前記所定機能をオンにする制御手段として機能させる。したがって、前記コンピュータがこのプログラムに従って処理を実行することにより、請求項１記載の発明と同様の作用効果を奏する。
【００１８】
また、請求項１１記載の発明にあっては、操作子を有し、この操作子が所定の継続時間をもって操作されたことを条件として、当該機器の所定機能をオンにする電子機器の起動方法であって、前記継続時間を任意に設定する。したがって、記載した設定を実行することにより、請求項２記載の発明と同様の作用効果を奏する。
【００１９】
また、請求項１２記載の発明にあっては、当該機器が有する所定機能のオン及びオフ時に操作される操作子を備える電子機器の起動方法であって、前記操作子が前記オフ時に操作された際の操作継続時間を取得する取得ステップと、この取得手段ステップで取得された操作継続時間に基づき、オン時における必要操作継続時間を決定する決定ステップと、前記操作子が前記オン時に操作された際、前記決定ステップにより決定された前記必要操作継続時間をもって操作されたことを条件として、当該機器の前記所定機能をオンにする起動ステップとを含む。したがって、記載したステップに従って処理を実行することにより、請求項２記載の発明と同様の作用効果を奏する。
【発明の効果】
【００２０】
以上説明したように請求項１、９、１１に係る発明によれば、当該機器が携帯機器であってポケットや鞄等に収納して携帯している場合、あるいは当該機器が据え置き型の機器である場合であるが不用意に操作子に触れる可能性がある場合には、長い継続時間を設定することにより、無用な起動が生じてしまうデメリット（短押しタイプのデメリット）を解消することができる。また、操作子を操作してから対応する機能がオンとなるまでのタイムラグにより、ユーザにおいて当該機能を有効に利用できない場合には、短い継続時間を設定することにより、前記タイムラグに起因する不都合（長押しタイプのデメリット）を解消することができる。よって、短押しタイプと長押しタイプの起動制御装置が有する各デメリットを共に解消することができる。また、機器の種類や機器がおかれている環境あるいは対応する機能に応じて、適切なタイムラグを設定することができ、これにより対応する機能を適時的に発現させることができる。
【００２１】
また、請求項２、１０、１２に係る発明によれば、さらに当該機器が有する所定機能をオフした際の操作継続時間に応じて、オン時に操作子を操作してから所定機能がオンとなるまでに要する時間を変化させることができる。よって、ユーザにおいて当該機器が有する所定機能をオフした際の操作継続時間を変化させることにより、当該機器が有する起動制御装置を随時短押しタイプと長押しタイプのいずれにもすることができる。よって、各種機器が有する起動制御装置を当該機器の種類や機器がおかれている環境に応じて短押しタイプと長押しタイプとすることにより、両タイプのデメリットを随時解消することができるとともに、適切なタイムラグを設定することができる。
【発明を実施するための最良の形態】
【００２２】
以下、本発明の実施の形態を図に従って説明する。
（第１の実施の形態）
【００２３】
図１は、本発明の一実施の形態を適用したデジタルカメラ１の背面斜視図である。図示のように、このデジタルカメラ１には、カメラ本体２の上面に電源スイッチ３と、シャッターキー４とが配設され、カメラ本体２の背面に光学ファインダ５と、再生（ＰＬＡＹ）モードを設定する際に操作される再生モードキー６１、記録（ＲＥＣ）モードを設定する際に操作される記録モードキー６２、記録画像や各種の情報を表示するとともに電子ビューファインダとして機能する液晶モニタ７、メニュー画面を表示させるためのメニュー（ＭＥＮＵ）キー８、表示されたメニュー項目等の選択や確定操作に使用する操作キー９が配設されている。
【００２４】
図２は、デジタルカメラ１の電気的構成の概略を示すブロック図である。デジタルカメラ１は、カメラ本体２の図示しない正面側に配置された撮像レンズ１０の光軸後方に配置された撮像素子であるＣＣＤ１１を備えている。ＣＣＤ１１は、タイミング発生器（ＴＧ）１２、垂直ドライバ１３によって走査駆動され、一定周期で１画面分の撮像信号を出力する。
【００２５】
ＣＣＤ１１の出力信号は、アナログ信号の状態でＲＧＢの原色成分毎に適宜ゲイン調整された後に、サンプルホールド回路（Ｓ／Ｈ）１４でサンプルホールドされ、Ａ／Ｄ変換器１５でデジタルデータに変換されカラープロセス回路１６に送られる。カラープロセス回路１６は画像補間処理を含むカラープロセス処理により、デジタル値の輝度信号Ｙ及び色差信号Ｃｂ，Ｃｒを生成し、ＤＭＡ（Ｄｉｒｅｃｔ  Ｍｅｍｏｒｙ Ａｃｃｅｓｓ）ＤＭＡコントローラ１７に出力する。
【００２６】
ＤＭＡコントローラ１７は輝度信号Ｙ及び色差信号Ｃｂ，Ｃｒを、カラープロセス回路１６からの複合同期信号、メモリ書込みイネーブル信号、及びクロック信号を用いて一度ＤＭＡコントローラ１７内部のバッファに書込み、ＤＲＡＭインタフェース（Ｉ／Ｆ）１８を介してＤＲＡＭ１９にＤＭＡ転送する。制御部２０は、上記輝度及び色差信号データ、つまり画像データのＤＲＡＭ１９へのＤＭＡ転送終了後に、その画像データを、ＤＲＡＭインタフェース１８を介してＤＲＡＭ１９から読み出し、ＶＲＡＭコントローラ２１を介してＶＲＡＭ２２に書き込む。
【００２７】
デジタルビデオエンコーダ２３は、上記画像データを、ＶＲＡＭコントローラ２１を介してＶＲＡＭ２２より定期的に読出し、これらのデータを元にビデオ信号を発生して表示部２４に出力する。表示部２４は、上記液晶モニタ７とその駆動回路等により構成され、デジタルビデオエンコーダ２３からのビデオ信号に基づいた表示を行うことで、その時点でＶＲＡＭコントローラ２１から取り込まれている画像情報に基づくスルー画像を表示する。
【００２８】
キー入力部２５は、前述した電源スイッチ３や、シャッターキー４、再生モードキー６１、記録モードキー６２等の各キーを含み、スルー画像が表示されている状態でシャッターキー４が操作されると、撮像開始用のトリガ信号を発生する。
【００２９】
記録モードによる静止画撮像モード時には、上記トリガ信号に応じて制御部２０がＣＣＤ１１からのＤＲＡＭ１９への経路を停止し、ＤＲＡＭ１９に書込まれている１フレーム分の画像データを、ＤＲＡＭインタフェース１８を介して読み出し、ＪＰＥＧ回路２６に送る。ＪＰＥＧ回路２６では送られた画像データを圧縮符号化し、圧縮された画像データは制御部２０によって読み出され、静止画ファイルとして不揮発性メモリであるフラッシュメモリ２７に記録される。
【００３０】
フラッシュメモリ２７に記録された画像ファイルは、再生モードにおいて、前記操作キー９等による選択操作に応じてＪＰＥＧ回路２６に読み込まれ、そこで画像データに復号された後、ＶＲＡＭコントローラ２１を介してＶＲＡＭ２２へ送られ、表示部２４で表示される。
【００３１】
電源回路２８は、電池２９から各部に供給される電力を制御する。制御部２０は、主としてＣＰＵ及びその周辺回路と、ＣＰＵの作業用メモリであるＲＡＭ、及びカレンダ機能を有する内蔵時計から構成されるマイクロコンピュータであり、タイマーを内蔵するとともに、フラッシュメモリ２７に確保されているプログラム領域に格納されているプログラムに基づき動作し、電源回路２８を含む前述した各部の動作を制御する。
【００３２】
以上の構成に係る本実施の形態において、制御部２０は前記プログラムに基づき、図３に示すフローチャートに従って処理を実行する。すなわち、電源回路２８を制御して電池２９から各部への電力供給を停止した電源ＯＦＦの状態を維持し（ステップＳ１０１）、この状態において電源スイッチ３を監視して、電源スイッチ３が押し操作されたか否かを判断する（ステップＳ１０２）。電源スイッチ３が押し操作されたならば、タイマーをスタートさせて、ユーザが電源スイッチ３の押し操作を継続している時間であるスイッチ押し時間を計測する（ステップＳ１０３）。
【００３３】
次に、この計測しているスイッチ押し時間が、後述するステップＳ１１０でＲＡＭに記憶される直前のＯＦＦでの押し時間、すなわち、ユーザが前回この電源スイッチ３を操作して電源をＯＦＦにした際に、電源スイッチ３の押し操作を継続した時間と一致したか否かを判断する（ステップＳ１０４）。そして、未だスイッチ押し時間が直前のＯＦＦでの押し時間と一致していない場合には、電源スイッチ３の押し操作を継続中であるか否かを判断する（ステップＳ１０５）。
【００３４】
このとき、ユーザが直前のＯＦＦでの押し時間となる前に、電源スイッチ３の押し操作をやめてしまうと、ステップＳ１０５の判断がＮＯとなり、ステップＳ１０６の電源ＯＮ処理を行うことなく、ステップＳ１０２に戻る。よって、ユーザが直前のＯＦＦでの押し時間となるまで電源スイッチ３の押し操作を行わなかった場合には、電源ＯＮとなることなく、電源ＯＦＦを維持して電源スイッチ３の操作を監視する状態に戻る。
【００３５】
また、ユーザが電源スイッチ３の押し操作を継続している場合には、ステップＳ１０４→Ｓ１０５→Ｓ１０４のループを繰り返す。そして、電源スイッチ３のスイッチ押し時間が直前のＯＦＦでの押し時間と一致すると（ステップＳ１０４；ＹＥＳ）、電源ＯＮ処理を実行し、電源回路２８を介して各部への電力を供給させる（ステップＳ１０６）。これにより、前記記録モードにおける静止画ファイルのフラッシュメモリ２７への記録や、再生モードにおける画像ファイルの表示部２４での再生が可能となる。
【００３６】
また、制御部２０はこの各部へ電力が供給されている電源ＯＮの状態において電源スイッチ３を監視して、電源スイッチ３が押し操作されたか否かを判断する（ステップＳ１０７）。電源スイッチ３が押し操作されたならば、タイマーをスタートさせて、ユーザが電源スイッチ３の押し操作を継続している時間であるスイッチ押し時間の計測を開始する（ステップＳ１０８）。引き続き、電源スイッチ３の押し操作を継続中であるか否かを判断し（ステップＳ１０９）、ユーザが電源スイッチ３の押し操作を継続してい間は、ステップＳ１０８でスタートさせたタイマーの歩進を継続させる。そして、ユーザが電源スイッチ３の押し操作をやめると、ステップＳ１０９の判断がＮＯとなり、ステップＳ１１０に進んでタイマーにより計測した押し時間をＲＡＭに記憶する。
【００３７】
このステップＳ１１０でＲＡＭに記憶させた電源ＯＦＦ時の押し時間が、前述したステップＳ１０４において直前のＯＦＦでの押し時間として用いられることとなる。したがって、本実施の形態においては、電源ＯＮ時に、直前のＯＦＦでの押し時間と一致する時間をもって、電源スイッチ３を押し操作した場合に、電源ＯＮとなる。
【００３８】
しかし、これに限らず、直前のＯＦＦでの押し時間に基づきタイムラグを決定し、この決定したタイムラグをステップＳ１１０において、押し時間として記憶するようにしてもよい。また、ステップＳ１１０ではこの実施の形態と同様に、直前のＯＦＦでの押し時間を記憶し、ステップＳ１０４での判断を行う際に、直前のＯＦＦでの押し時間に基づきタイムラグを決定し、電源オン時のスイッチ押し時間が、この決定したタイムラグと一致したか否かを判断するようにしてもよい。
【００３９】
（第２の実施の形態）
【００４０】
図４は、本発明の第２の実施の形態において、制御部２０のＲＯＭに記憶されているテーブル２０１を示す図である。このテーブル２０１には、直前のＯＦＦでの電源スイッチ３の押し時間に対応して、前記ステップＳ１１０でＲＡＭに記憶させる記憶押し時間が記憶されている。すなわち、直前のＯＦＦでの電源スイッチ３の押し時間が、「０秒以上１秒未満」に対応して記憶押し時間「０秒」が記憶され、「１秒以上２秒未満」に対応して記憶押し時間「１秒」が記憶され、また「１０秒以上」に対応して最大値「１０秒」が記憶されている。したがって、直前のＯＦＦでの電源スイッチ３の押し時間が、１０秒以上であっても、前記ステップＳ１１０でＲＡＭに記憶させる記憶押し時間は最大１０秒である。
【００４１】
かかる第２の実施の形態においても、図３に示したフローチャートに従って処理が実行され、このときステップＳ１１０では、前記テーブル２０１から、タイマーで計測した電源オフ時の押し時間に対応する記憶押し時間を読み出して、その押し時間をＲＡＭに記憶させる。また、ステップＳ１０４の判断に際しては、電源オン時のスイッチ押し時間が、このＲＡＭに記憶させた記憶押し時間と一致したか否かを判断する。したがって、本実施の形態においては、電源ＯＮ時に、直前のＯＦＦでの押し時間に対応する記憶押し時間と一致する時間をもって、電源スイッチ３を押し操作した場合に、電源ＯＮとなる。
【００４２】
しかし、このようなテーブル２０１を用いることなく、電源をＯＦＦにする手法が複数ある場合には、直前にいずれの手法で電源をＯＦＦにしたかにより、次の電源オン時における必要操作継続時間を決定するようにしてもよい。また、当該機器が、例えば携帯電話のように、テンキーを有するものである場合には、テンキーの操作により入力された数値を電源オン時における必要操作継続時間とし、ステップＳ１０４の判断で「直前のＯＦＦでの押し時間」として用いるようにしてもよい。さらに、メニューキー８の操作により表示されたメニュー項目において、入力された数値を電源オン時における必要操作継続時間とし、ステップＳ１０４の判断で「直前のＯＦＦでの押し時間」として用いるようにしてもよい。
【００４３】
また、各実施の形態においては、電源スイッチ３の操作により電源をＯＮにする場合を示したが、これに限らず例えばメニューキー８の操作によりメニュー表示をＯＮにする場合等の他の機能をＯＮにする場合、あるいは複数のキーに適用するようにしてもよい。
また、撮影を指示するシャッターキー４を電源スイッチと兼用する場合に本発明を適用するようにしてもよい。つまり、シャッターキー４の操作により電源をＯＮする場合、直前のシャッターキー４の操作による電源ＯＦＦでの押し時間分だけ押し続けると電源がＯＮされるようにしてもよい。但し、シャッターキー４の操作により電源をＯＦＦする時、撮影・記録動作も行ってしまうのでシャッターキー４の押し時間が所定時間（例えば、１秒）を超えた場合は撮影のためではなく電源をＯＦＦするためにシャッターキー４が操作されたものと判断して撮影・記録動作によりメモリに記録されてしまった撮影画像データを自動的に消去するといった工夫が必要になる。
【００４４】
（第３の実施の形態）
【００４５】
図５は、本発明の第３の実施の形態における処理手順を示すフローチャートである。電源がＯＮの状態において、制御部２０は前記プログラムに基づき、このフローチャートに従って処理を実行する。すなわち、記録モードキー６２が押し操作されたか否かを判断する（ステップＳ２０１）。記録モードキー６２が押し操作されたならば、タイマーをスタートさせて、ユーザが記録モードキー６２の押し操作を継続している時間であるキー押し時間を計測する（ステップＳ２０２）。
【００４６】
次に、この計測しているキー押し時間が、後述するステップＳ２０８で用いる時間Ｂよりも短い時間である時間Ａ（Ａ＜Ｂ）と一致したか否かを判断する（ステップＳ２０３）。そして、未だキー押し時間が時間Ａと一致していない場合には、記録モードキー６２の押し操作を継続中であるか否かを判断する（ステップＳ２０４）。
【００４７】
このとき、時間Ａとなる前に、記録モードキー６２の押し操作をやめてしまうと、ステップＳ２０４の判断がＮＯとなり、ステップＳ２０５の記録モード設定処理を行うことなく、ステップＳ２０１に戻る。また、ユーザが記録モードキー６２の押し操作を継続している場合には、ステップＳ２０３→Ｓ２０４→Ｓ２０３のループを繰り返す。そして、記録モードキー６２のキー押し時間が時間Ａと一致すると（ステップＳ２０３；ＹＥＳ）、記録モード設定処理を実行し、記録モードで撮像及び画像記録するに必要な各部を起動させる（ステップＳ２０５）。これにより、液晶モニタ７にスルー画像が表示されて、記録モードにおける静止画ファイルのフラッシュメモリ２７への記録が可能となる。
【００４８】
他方、ステップＳ２０１での判断の結果記録モードキー６２が押し操作されなかった場合には、再生モードキー６１が押し操作されたか否かを判断する（ステップＳ２０６）。再生モードキー６１が押し操作されたならば、タイマーをスタートさせて、ユーザが再生モードキー６１の押し操作を継続している時間であるキー押し時間を計測する（ステップＳ２０７）。
【００４９】
次に、この計測しているキー押し時間が、前述のステップＳ２０３で用いた時間Ａよりも長い時間である時間Ｂ（Ｂ＞Ａ）と一致したか否かを判断する（ステップＳ２０８）。そして、未だキー押し時間が時間Ｂと一致していない場合には、再生モードキー６１の押し操作を継続中であるか否かを判断する（ステップＳ２０９）。このとき、時間Ｂとなる前に、再生モードキー６１の押し操作をやめてしまうと、ステップＳ２０９の判断がＮＯとなり、ステップＳ２１０の再生モード設定処理を行うことなく、ステップＳ２０１に戻る。また、ユーザが再生モードキー６１の押し操作を継続している場合には、ステップＳ２０８→Ｓ２０９→Ｓ２０８のループを繰り返す。そして、再生モードキー６１のキー押し時間が時間Ｂと一致すると（ステップＳ２０８；ＹＥＳ）、再生モード設定処理を実行し、再生モードで再生画像を液晶モニタ７に表示するに必要な各部を起動させる（ステップＳ２１０）。これにより、液晶モニタ７には、フラッシュメモリ２７に記憶されている静止画ファイルに基づく再生画像が表示されることとなる。
【００５０】
なお、実施の形態においては、本発明を携帯機器であるデジタルカメラに適用した場合を示したが、他の携帯機器は無論のこと、携帯機器に限らず据え置き型の機器にも本発明を適用し得ることは勿論である。
【図面の簡単な説明】
【００５１】
【図１】本発明の一実施の形態を適用したデジタルカメラの背面斜視図である。
【図２】同デジタルカメラの電気的構成の概略を示すブロック図である。
【図３】本発明の第１及び第２の実施の形態における処理手順を示すフローチャートである。
【図４】本発明の第２の実施の形態において用いられるテーブルを示す概念図である。
【図５】本発明の第３の実施の形態における処理手順を示すフローチャートである。
【符号の説明】
【００５２】
１    デジタルカメラ
２    カメラ本体
３    電源スイッチ
７    液晶モニタ
８    メニューキー
１１    ＣＣＤ
１７    ＤＭＡコントローラ
１９    ＤＲＡＭ
２０    制御部
２２    ＶＲＡＭ
２３    デジタルビデオエンコーダ
２４    表示部
２５    キー入力部
２６    ＪＰＥＧ回路
２７    フラッシュメモリ
２８    電源回路
２９    電池
６１    再生モードキー
６２    記録モードキー
２０１    テーブル
【図１】
2006163857.tif 000003
【図２】
2006163857.tif 000004
【図３】
2006163857.tif 000005
【図４】
2006163857.tif 000006
【図５】
2006163857.tif 000007